(57)【要約】      （修正有）【課題】携帯無線機本体に接続されたスピーカマイクを保持、固定することで、携帯無線機を充電する際の省スペース化を図る携帯無線機の充電器構造を提供する。【解決手段】ケーブル７を介してスピーカマイク６と接続された携帯無線機１を充電する充電器８であって、該充電器にマイク保持部１３を設け、前記スピーカマイクを前記マイク保持部により固定、保持する。【選択図】図１
2011229343.tif 000002
【特許請求の範囲】
【請求項１】
ケーブルを介してスピーカマイクと接続された携帯無線機を充電する充電器であって、該充電器にマイク保持部を設け、前記スピーカマイクを前記マイク保持部により固定、保持することを特徴とする携帯無線機の充電器構造。
【発明の詳細な説明】
【技術分野】
【０００１】
本発明は、携帯無線機の充電を行う携帯無線機の充電器構造に関するものである。
【背景技術】
【０００２】
先ず、図６に於いて、従来の携帯無線機の充電構造について説明する。
【０００３】
携帯無線機１は、携帯無線機本体２とアンテナ３を有している。前記携帯無線機本体２にはボタンキー等の入力部４と液晶パネル等の表示部５が設けられると共に、底部には充電用のコネクタ（図示せず）が設けられ、前記携帯無線機本体２には、外部オプションであるスピーカマイク６がケーブル７を介して接続されている。
【０００４】
又、図中、８は充電器を示している。該充電器８の上面には凹部９が形成され、該凹部９の底面には前記携帯無線機１を充電する為のコネクタ（図示せず）が設けられており、前記携帯無線機本体２を前記凹部９に収納し、前記携帯無線機本体２のコネクタと前記充電器８のコネクタを接続することで、前記携帯無線機１のバッテリに電力が充電される様になっている。
【０００５】
前記携帯無線機１を使用し、該携帯無線機１のバッテリの電力がなくなった場合には、前記携帯無線機本体２を前記凹部９に収納し、前記携帯無線機１の充電を行う。
【０００６】
然し乍ら、該携帯無線機１の充電を行う際には、運用上の手間を考慮し、前記スピーカマイク６を前記携帯無線機本体２に接続したままで充電が行われる。従って、充電の際に前記スピーカマイク６の置き場所がなく、又該スピーカマイク６を保持、固定する場所が確保されておらず、該スピーカマイク６が前記充電器８の周りに乱雑に置かれ、充電の為に無用のスペースを占有するという問題があった。
【０００７】
又、前記スピーカマイク６を保持、固定する場所が確保されずに乱雑に置かれることで、前記ケーブル７が絡まる、或は破損する虞れがあった。
【０００８】
更に、前記充電器８を何台か連結する場合には、充電用のスペースをより占有すると共に、前記スピーカマイク６が整理されず、又前記ケーブル７，７同士が絡まる等、前記携帯無線機１の取扱いが不便になるという問題があった。
【先行技術文献】
【特許文献】
【０００９】
【特許文献１】特開２０００−１８４４５５号公報
【発明の概要】
【発明が解決しようとする課題】
【００１０】
本発明は斯かる実情に鑑み、携帯無線機本体に接続されたスピーカマイクを保持、固定することで、携帯無線機を充電する際の省スペース化を図る携帯無線機の充電器構造を提供するものである。
【課題を解決するための手段】
【００１１】
本発明は、ケーブルを介してスピーカマイクと接続された携帯無線機を充電する充電器であって、該充電器にマイク保持部を設け、前記スピーカマイクを前記マイク保持部により固定、保持する携帯無線機の充電器構造に係るものである。
【発明の効果】
【００１２】
本発明によれば、ケーブルを介してスピーカマイクと接続された携帯無線機を充電する充電器であって、該充電器にマイク保持部を設け、前記スピーカマイクを前記マイク保持部により固定、保持するので、前記携帯無線機を充電する際に前記スピーカマイクの置き場所を考慮する必要がなく、前記携帯無線機を充電する際の省スペース化を図ると共に、前記スピーカマイクと前記ケーブル、或は他のスピーカマイクとケーブルが絡み合うことや破損するのを防止することができるという優れた効果を発揮する。
【図面の簡単な説明】
【００１３】
【図１】本発明の第１の実施例に於ける携帯無線機及び充電器を示す図である。
【図２】本発明の第１の実施例に於ける充電器であり、マイクスタンドが充電器の複数箇所に取付け可能であることを示す図である。
【図３】本発明の第１の実施例に於けるスピーカマイクの固定方法であり、（Ａ）はマイクスタンドに穴を穿設した場合の側断面図を示し、（Ｂ）はマイクスタンドにフックを設けた場合の側面図を示している。
【図４】本発明の第１の実施例に於ける充電器を複数台連結した場合を示す図である。
【図５】本発明の第２の実施例に於ける携帯無線機及び充電器を示す図である。
【図６】従来の携帯無線機及び充電器を示す図である。
【発明を実施するための形態】
【００１４】
以下、図面を参照しつつ本発明の実施例を説明する。
【００１５】
先ず、図１〜図３に於いて、本発明の第１の実施例について説明する。尚、図１〜図３中、図６中と同等のものには同符号を付し、その説明を省略する。
【００１６】
携帯無線機１は携帯無線機本体２及びアンテナ３を有し、該携帯無線機本体２にはケーブル７を介してスピーカマイク６が接続され、該スピーカマイク６の一面にはクリップ１１が設けられている。
【００１７】
又、充電器８には底面に充電用のコネクタ（図示せず）が設けられた凹部９が形成され、該凹部９に前記携帯無線機本体２が収納された際に前記アンテナ３の近傍となる前記充電器８の角部には、マイク保持部である棒状のマイクスタンド１３が取付けられ、該マイクスタンド１３の上面にマイク保持穴１２（図３（Ａ）参照）が穿設されている。
【００１８】
前記マイクスタンド１３は伸縮可能であり、所要の固定手段、例えばボルトやピン等によって高さが固定できる様になっている。又、前記マイクスタンド１３は前記充電器８に固定的に設けてもよく、或は該充電器８に対して着脱可能となっていてもよい。例えば、図１では図中左背面側の角部に立設されているが、図２（Ａ）に示される様に、図中右前面側の角部に立設してもよいし、図２（Ｂ）の様に右背面側の角部に立設してもよい。
【００１９】
前記携帯無線機１を充電する際には、前記携帯無線機本体２を前記凹部９に収納して前記携帯無線機本体２のコネクタ（図示せず）と前記凹部９のコネクタ（図示せず）を接続して前記携帯無線機１のバッテリに電力を充電させると共に、前記スピーカマイク６の前記クリップ１１を前記マイク保持穴１２に挿入することで、前記スピーカマイク６と前記クリップ１１とで前記マイクスタンド１３が挟込まれ、前記スピーカマイク６が固定され、保持される。尚、前記マイクスタンド１３は、前記ケーブル７の長さに応じて高さが調整される様になっている。
【００２０】
尚、前記マイクスタンド１３を棒状ではなく平板状、或は先端部を平板状とすることで、前記マイク保持穴１２を穿設することなく前記クリップ１１で前記マイクスタンド１３を挟込み、前記スピーカマイク６の固定、保持を行うことができる。
【００２１】
又、図３（Ｂ）は該スピーカマイク６の別の保持方法を示したものである。前記マイクスタンド１３の上端部の周面には、コ字状のマイク保持フック１４が水平方向に突設され、該マイク保持フック１４に前記スピーカマイク６の前記クリップ１１を引掛けることで、前記スピーカマイク６が固定され、前記マイクスタンド１３に保持される様になっている。
【００２２】
尚、前記スピーカマイク６の保持方法は、上記した前記マイク保持穴１２を穿設する、或は前記マイク保持フック１４を突設するというものに限らず、前記スピーカマイク６と前記マイクスタンド１３にマジックテープ（登録商標）を貼設し、該マジックテープを介して前記スピーカマイク６を前記マイクスタンド１３に固定し、保持する保持部としてもよいし、該スピーカマイク６と前記マイクスタンド１３に磁石を設け、該磁石を介して前記スピーカマイク６を前記マイクスタンド１３に固定し、保持する保持部としてもよい。又、磁石を用いて該スピーカマイク６を保持する場合、前記マイクスタンド１３が鉄製等の磁性体であれば該マイクスタンド１３に設けられる磁石は省略可能である。
【００２３】
上述の様に、前記充電器８に前記マイクスタンド１３を取付け、該マイクスタンド１３に前記スピーカマイク６を固定し、保持させる様にしたので、前記携帯無線機１を充電する際に前記スピーカマイク６の置き場所を考慮する必要がなく、前記携帯無線機１を充電する際、或は図４に示される様に複数台の前記充電器８を整列させる際の省スペース化を図ると共に、前記スピーカマイク６と前記ケーブル７、或は複数のスピーカマイク６とケーブル７が絡み合うことや破損するのを防止することができる。尚、前記充電器８の側面に連結具を設け、該充電器８，８同士を連結具を介して連結可能とさせる様にしてもよい。
【００２４】
又、前記マイクスタンド１３は伸縮可能であるので高さを調整でき、前記スピーカマイク６を前記マイクスタンド１３に固定した際に、撓んだ前記ケーブル７が地面に接触して広がり、余分なスペースを占有することがない。
【００２５】
又、前記マイクスタンド１３は着脱可能であるので、前記携帯無線機本体２に前記スピーカマイク６を接続しない場合には、前記充電器８から前記マイクスタンド１３を取外すことができ、該マイクスタンド１３が邪魔になることがない。
【００２６】
次に、図５に於いて本発明の第２の実施例について説明する。尚、図５中、図１中と同等のものには同符号を付し、その説明を省略する。
【００２７】
第２の実施例では、充電器８に携帯無線機本体２を収納する凹部９が形成されると共に、スピーカマイク６を収納可能なマイク保持部であるマイク収納凹部１５が形成されている。
【００２８】
該マイク収納凹部１５は前記凹部９と干渉しない様、該凹部９の前側に位置し、前記充電器８の上面に形成される。又、前記マイク収納凹部１５には前記充電器８の前面に開口する開口部１７が形成され、該開口部１７には、該開口部１７の両幅端から中心に向って抜止め１６，１６が突出形成されている。
【００２９】
前記携帯無線機１を充電する際には、前記携帯無線機本体２を前記凹部９に収納して前記携帯無線機１のバッテリに電力を充電させると共に、前記スピーカマイク６が前記マイク収納凹部１５に収納されることで、前記スピーカマイク６が前記抜止め１６，１６により前記開口部１７から抜けることなく固定、保持される。
【００３０】
上述の様に、前記充電器８に前記マイク収納凹部１５を形成し、前記携帯無線機１を充電する際には、前記スピーカマイク６を前記マイク収納凹部１５に収納し、固定保持させる様にしたので、部品数の減少によりコストの低減を図ることができる。
【００３１】
又、前記携帯無線機１を充電する際に前記スピーカマイク６の置き場所を考慮する必要がなく、前記携帯無線機１を充電する際、或は複数台の前記充電器８を整列或は連結させた際の省スペース化を図ると共に、前記スピーカマイク６と前記ケーブル７、或は複数のスピーカマイク６とケーブル７が絡み合うことや破損するのを防止することができる。
【００３２】
又、前記充電器８の前面に前記マイク収納凹部１５と連通する前記開口部１７を形成し、該開口部１７の両幅端に前記抜止め１６，１６を形成したので、前記スピーカマイク６が前記開口部１７から抜出ることがなく、又前記マイク収納凹部１５から取出す際には前記開口部１７より指を入れて前記スピーカマイク６を掴むことができ、該スピーカマイク６を容易に上方から取出すことができる。この為、前記ケーブル７を持って取出す必要がなくなり、該ケーブル７を引張ることによる損傷を防止することができる。
【００３３】
尚、第２の実施例では、前記充電器８に前記スピーカマイク６を収納可能な前記マイク収納凹部１５を形成したが、前記充電器８の前面に溝を形成し、該溝に嵌合可能な凸部を前記スピーカマイク６に形成してもよい。前記溝に前記凸部を嵌合させて前記スピーカマイク６を前記充電器８に固定、保持できる様にすることで、該充電器８自体の大きさを縮小でき、省スペース化を図ると共に、コストの削減を図ることができる。
【００３４】
（付記）
又、本発明は以下の実施の態様を含む。
【００３５】
（付記１）ケーブルを介してスピーカマイクと接続された携帯無線機を充電する充電器であって、該充電器にマイク保持部を設け、前記スピーカマイクを前記マイク保持部により固定、保持することを特徴とする携帯無線機の充電器構造。
【００３６】
（付記２）前記マイク保持部は前記充電器に取付けられたマイクスタンドである付記１の携帯無線機の充電器構造。
【００３７】
（付記３）前記スピーカマイクにはクリップが設けられると共に前記マイクスタンドにはマイク保持穴が穿設され、前記クリップを前記マイク保持穴に挿入することで前記スピーカマイクを固定する付記２の携帯無線機の充電器構造。
【００３８】
（付記４）前記スピーカマイクにはクリップが設けられると共に前記マイクスタンドにはマイク保持フックが設けられ、前記クリップを前記マイク保持フックに引掛けることで前記スピーカマイクを固定する付記２の携帯無線機の充電器構造。
【００３９】
（付記５）前記スピーカマイクと前記マイクスタンドにはマジックテープ（登録商標）が設けられ、該マジックテープを介して前記スピーカマイクを固定する付記２の携帯無線機の充電器構造。
【００４０】
（付記６）前記スピーカマイクと前記マイクスタンドの少なくとも一方には磁石が設けられ、該磁石を介して前記スピーカマイクを固定する付記２の携帯無線機の充電器構造。
【００４１】
（付記７）前記マイクスタンドは伸縮可能である付記２の携帯無線機の充電器構造。
【００４２】
（付記８）前記マイク保持部は前記充電器の上面に形成された凹部であり、該凹部に前記スピーカマイクを収納する付記１の携帯無線機の充電器構造。
【００４３】
（付記９）前記凹部には前記充電器の前面に開口する開口部が形成された付記８の携帯無線機の充電器構造。
【符号の説明】
【００４４】
１              携帯無線機
２              携帯無線機本体
６              スピーカマイク
７              ケーブル
８              充電器
１１            クリップ
１２            マイク保持穴
１３            マイクスタンド
１４            マイク保持フック
１５            マイク収納凹部
１６            抜止め
１７            開口部
【図１】
2011229343.tif 000003
【図２】
2011229343.tif 000004
【図３】
2011229343.tif 000005
【図４】
2011229343.tif 000006
【図５】
2011229343.tif 000007
【図６】
2011229343.tif 000008